(57)【特許請求の範囲】
【請求項１】
送風機５０を走行車両１の施肥フレーム１０６側に設けた送風パイプ５１に対して連通・分離可能とした構成において、該送風機５０を略水平方向若しくは水平方向に回動させるための枢軸５５ａ・５５ｂを施肥フレーム１０６側から立設し、該枢軸５５ａ・５５ｂに送風機５０側に設けた送風機取付ステー５２を係合し、該送風機取付ステー５２の上方に抜け止め用規制部材５７を設け、
平面視において、送風機５０が送風パイプ５１と連通した状態にあるときは、該抜け止め用規制部材５７と送風機取付ステー５２が重複し、また、該送風機５０を枢軸５５ａ・５５ｂを中心に機体内側へ回動させ、設定角度まで回動することにより、両者が重複しない状態となり、送風機５０を略垂直方向に持ち上げ、送風機５０を施肥フレーム１０６側から取外し可能としたことを特徴とする送風機の着脱構造。
【請求項２】
請求項１記載の送風機の着脱構造において、取り外された送風機５０は施肥フレーム１０６に設けたフック１９に引っ掛け可能としたことを特徴とする送風機の着脱構造。
【請求項３】
請求項１に記載の送風機の着脱構造において、一対の枢軸５５ａ・５５ｂを上方を開放して略同一直線上に配設し、該枢軸のステーからの出代を異なる長さとしたことを特徴とする送風機の着脱構造。
【発明の詳細な説明】
【０００１】
【発明の属する技術分野】
本発明は、乗用田植機の側条施肥機に具備される送風機の着脱構造に関する。
【０００２】
【従来の技術】
従来、肥料ホッパや肥料繰出ケース等からなる施肥ユニットを左右方向に複数配列して、該施肥ユニット下部に位置し左右方向に伸延した送風パイプを介して送風機を連通させ、肥料繰出ケース内で調量した肥料を空気搬送するようにした側条施肥機を乗用田植機に搭載して、植付作業と同時に施肥作業ができるようにしたものが公知である。
【０００３】
そして、上述のような側条施肥機では、圃場間の移動や格納時に側条施肥機の横幅を狭めるために、前記送風機と送風パイプとを連通・分離可能に構成し、送風機を機体内側に回動・格納して横幅を小さくするようにしたものがある。
【０００４】
例えば、特開２０００−１８４８０８号公報に掲載されているように、送風パイプの側方に設けたフレームに、送風機の回動軸となるピンを立設し、該ピンを送風機のケーシングに設けられた孔に挿入して、送風パイプの側方に設けたフレームに対し送風機を回動可能に連結したものがある。そして、送風機と送風パイプを連通した状態に保持するために、送風機のケーシングと送風パイプの側方に設けたフレームとをノブネジ等の固定具を用いて連結固定していた。
【０００５】
【発明が解決しようとする課題】
しかし、上述の従来技術においては、例えば、ノブネジが少しでも弛んでいることがあると、悪路走行時等の大きな振動が加わったときに、振動によってノブネジが更に弛んで送風機のケーシングがピンから抜けて送風機が外れてしまい、送風機と送風パイプとの連通状態が崩れる虞れがある。また、送風機は、１本のピンを回動軸とした場合高く持ち上げて外すことになり、着脱が面倒な作業となっていた。
【０００６】
【課題を解決するための手段】
本発明の解決しようとする課題は以上の如くであり、次にこの課題を解決するための手段を説明する。
請求項１においては、送風機５０を走行車両１の施肥フレーム１０６側に設けた送風パイプ５１に対して連通・分離可能とした構成において、該送風機５０を略水平方向若しくは水平方向に回動させるための枢軸５５ａ・５５ｂを施肥フレーム１０６側から立設し、該枢軸５５ａ・５５ｂに送風機５０側に設けた送風機取付ステー５２を係合し、該送風機取付ステー５２の上方に抜け止め用規制部材５７を設け、平面視において、送風機５０が送風パイプ５１と連通した状態にあるときは、該抜け止め用規制部材５７と送風機取付ステー５２が重複し、送風機５０を枢軸５５ａ・５５ｂを中心に機体内側へ回動させ、設定角度まで回動することにより、両者が重複しない状態となり、送風機５０を略垂直方向に持ち上げ、送風機５０を施肥フレーム１０６側から取外し可能としたものである。
【０００７】
請求項２においては、請求項１記載の送風機の着脱構造において、取り外された送風機５０は施肥フレーム１０６に設けたフック１９に引っ掛け可能としたものである。
【０００８】
請求項３においては、請求項１に記載の送風機の着脱構造において、一対の枢軸５５ａ・５５ｂを上方を開放して略同一直線上に配設し、該枢軸のステーからの出代を異なる長さとしたものである。
【０００９】
【発明の実施の形態】
次に、以下の図面を用いて発明の実施の形態を説明する。
図１は本発明の実施例に係る側条施肥機を搭載した乗用田植機の全体的な構成を示した側面図、図２は同じく平面図、図３は車体フレームとミッションケースの概略斜視図である。
図４は側条施肥機の正面図、図５は同じく平面略図、図６は施肥ユニットの左側面図、図７は側条施肥機の伝動機構を説明する側面図、図８は同じく正面図、図９は肥料繰出ケースの左側断面図、図１０は肥料繰出装置を示す断面図である。
【００１０】
図１１は側条施肥機の左側正面図、図１２は同じく左側面図である。
図１３は肥料ホッパを示す左側断面図、図１４は右側の肥料ホッパの連結部を示す左側面図、図１５は右側の肥料ホッパの連結部を示す右側面図、図１６は肥料ホッパの連結部を示す正面一部断面図である。
図１７は送風パイプと連通した状態の送風機を示す平面図、図１８は送風パイプと分離した状態の送風機を示す平面図である。
【００１１】
初めに、本実施例に係る乗用田植機の全体構成について、図１乃至図３を用いて説明する。
但し、本実施例は四条植え式の植付部９を搭載する乗用田植機であり、従って、後述する側条施肥機３０には四組の施肥ユニット４８・４８・・・が具備されるが、これに限定されるものではなく、植付部９は六条植え式や八条植え式であってもよく、このとき側条施肥機３０には条数に対応する施肥ユニット４８・４８・・・を備えるものとする。
【００１２】
乗用田植機は、走行車両１と、該走行車両１の後部に連結した植付部９とで構成されている。そして、走行車両１の前部及び後部にはそれぞれ前輪２・２と後輪３・３とが懸架され、車体フレーム４の前部には動力部であるエンジン５が搭載されてボンネット２２で覆われている。
前記ボンネット２２の両側には予備苗載台９０が配設され、同じくボンネット２２の後上方には操向ハンドル８が配設されている。そして、操向ハンドル８の周囲であってボンネット２２には主変速レバー７５、全動力を入切操作可能な苗継ぎレバー７６、アクセルレバー７２等が配設され、該操向ハンドル８の左側下方には主クラッチペダル７４、同じく右側下方にブレーキペダル７３が配設されている。
【００１３】
エンジン５後方であって車体フレーム４の左右略中央には前後方向に長く形成したミッションケース６が配置されており、該ミッションケース６の前部で前輪２・２が支持され、後部で後輪３・３が支持されている。ミッションケース６は、ボンネット２２後方且つ運転席７前方に位置するステップ２０ｃ、運転席の側方に位置するステップ２０ｂ・２０ｂ及び運転席７を設置するための台座部２０ｄを一体的に形成した車体カバー２０によって覆われており、該車体カバー２０の後上部には運転席７が設けられている。さらに、車体カバー２０の運転席７側方には植付部９の昇降・植付の入切・植付時の変速・線引きマーカ等の操作を行うシフトレバー７７や油圧感度調節レバー１４１等が設けられている。
【００１４】
前記走行車両１の後部には、植付部９を構成する植付伝動フレーム９２が、該植付伝動フレーム９２の前部にローリング支点軸１７を介して設けられたヒッチ９４の上部に枢支されたトップリンク１１と、同じくヒッチ９４の下部に枢支されたロワリンク１２とで構成された昇降リンク機構１０を介して連結されている。
【００１５】
前記昇降リンク機構１０を構成するトップリンク１１は、車体フレーム４を構成する背面視逆Ｕ字状のリアフレーム４３の上部に固設された取付部４３ａに軸支される。一方、ロワリンク１２は、該ロワリンク１２の前部に設けられた側面視三角状の支持体１２ａの前部が、前記リアフレーム４３の下部に軸支され、該支持体１２ａの上部には、昇降リンク機構１０を昇降駆動させる昇降シリンダ１５が連結されている。
【００１６】
なお、リアフレーム４３は昇降リンク機構１０の支持部として利用されると共に、取付プレート３９を介して前記ミッションケース６の後部に一体的に設けられているリアアクスルケース３８が連結されている。そして、リアフレーム４３の上方であって、運転席７と植付部９の間には後述する側条施肥機３０が配設されている。
【００１７】
上述の如く走行車両１の後部に連結された植付部９は、四条植え式の苗載台９１や複数の植付爪９３・９３・・・等から構成されており、前高後低に配設した苗載台９１を、下部レール９５及びガイドレール９６を介して植付伝動フレーム９２に左右往復摺動自在に支持させると共に、ロータリケース９３ａ・９３ａ・・・の回転により先端が楕円状軌跡を描いて回転しながら苗を植え付ける植付爪９３・９３・・・を、植付伝動フレーム９２の後部に配設している。
【００１８】
植付部９の下部には、センターフロート９７とサイドフロート９８・９８が配設されている。前記センターフロート９７は、走行車両１の左右中心線上に配置され、センターフロート９７の左右対称位置にサイドフロート９８・９８が配設されて、植付部９の左右のバランスを良好に保ち、植え付け姿勢を安定させて、正確に植え付けができるようにしている。
そして、前記サイドフロート９８・９８には各植付条における苗の植え付け部位に隣接する側条作溝器３３・３３・・・が設けられ、該側条作溝器３３・３３・・・は接地面よりも下方側に向けて泥土層に入り込み、肥料を供給するための溝を形成しながら、前記側条施肥機３０から搬送ホース３２・３２・・・を介して送られた肥料を泥土層に施肥するようにしている。
【００１９】
このようにして、上述の乗用田植機は、エンジン５の動力を利用して前輪２・２及び後輪３・３を走行駆動して走行移動させると共に、左右に往復摺動可能な苗載台９１から一株分の苗を植付爪９３・９３・・・によって取り出して連続的に苗を植え付け、さらに、植え付けと同時に施肥できるように構成されている。
【００２０】
ここで、本実施例に係る側条施肥機３０について説明する。
まず、側条施肥機３０の支持構成から説明する。図３に示す如く、前記車体フレーム４の構成部材である左右の前後フレーム４４・４４の後部には背面視逆Ｕ字状のリアフレーム４３が固設されており、該リアフレーム４３左右両側部には、平面視Ｌ字状のステップ支持フレーム１０９・１０９が固設され、その連結部はそれぞれ支持ブラケット１０８・１０８によって補強されている。そして、左右の支持ブラケット１０８・１０８にステーを介して機体左右方向に施肥下部フレーム１０６ｃ（図４）を横架している。なお、側条施肥機３０を田植機に装備しないときは前記支持ブラケット１０８・１０８に図示せぬリヤデッキを支持させて車体カバー２０を後方へ延設することができる。
【００２１】
そして、図４及び図５に示す如く、前記施肥下部フレーム１０６ｃの左右両端には、施肥サイドフレーム１０１Ｌ・１０１Ｒが設けられ、施肥下部フレーム１０６ｃと同様に施肥前部フレーム１０６ａ及び施肥後部フレーム１０６ｂがそれぞれ施肥サイドフレーム１０１Ｌ・１０１Ｒ間に架設されている。そして、施肥前部フレーム１０６ａで後述する肥料繰出ケース１３の前部を、施肥後部フレーム１０６ｂで肥料繰出ケース１３の後部を、施肥下部フレーム１０６ｃで肥料繰出ケース１３の下部を支持している。そして、これら施肥前部フレーム１０６ａ、施肥後部フレーム１０６ｂ、施肥下部フレーム１０６ｃ及び施肥サイドフレーム１０１Ｌ・１０１Ｒ等で施肥フレーム１０６を構成している。
【００２２】
上述の如く構成された施肥フレーム１０６に構成される側条施肥機３０には、粉粒状の肥料を貯溜する肥料ホッパ４９と、肥料繰出部であって肥料を所定量ずつ繰り出す肥料繰出装置を内装する肥料繰出上ケース４７及び肥料繰出下ケース５６から成る肥料繰出ケース１３と、フロート９７・９８・９８の側条作溝器３３にフレキシブル型搬送ホース３２を介して肥料を排出させるターボブロワ型の送風機５０と、円筒形のチャンバーとなる送風パイプ５１とを備えると共に、該送風パイプ５１一側端（本実施例においては右側）に前記送風機５０を取り付け、四条分四組の肥料繰出ケース１３・１３・・を送風パイプ５１上方に配設している。
そして、前記肥料ホッパ４９、肥料繰出ケース１３、及び搬送ホース３２などから施肥ユニット４８が構成され、該施肥ユニット４８・４８・・・は機体左右方向に並設して配置されている。
【００２３】
そして、図６に示す如く、前記肥料繰出下ケース５６の下端部では、前部に前記送風パイプ５１に前端部を嵌着させる接合パイプ５９を連結接続し、同じく後部には前記搬送ホース３２を嵌着して、前記送風機５０からの空気を送風パイプ５１から肥料繰出上ケース４７の下端部及び搬送ホース３２に吹き出させ、肥料繰出下ケース５６の下端部に落下する肥料を、搬送ホース３２を介して側条作溝器３３位置まで空気搬送するように構成している。
【００２４】
次に、側条施肥機３０の肥料繰出装置への伝動機構について説明する。
図７乃至図９に示す如く、側条施肥機３０を駆動するための駆動源となるエンジン５からの出力は、ミッションケース６の前後中途部に設けられた動力取り出し機構３１によって植付部９側と側条施肥機３０側とに分岐して取り出される。中間軸３５により取り出された側条施肥機３０への動力は中間軸３５後端に連結された無段変速装置入力軸３４ｂによって無段変速装置３４に入力され、該無段変速装置３４により変速された動力は、無段変速装置出力軸３４ｃに連結された伝動軸３７ｂに伝達され、さらに、該伝動軸３７ｂ後端に設けたベベルギア３７ａと変速出力軸３６上に設けられたベベルギア３６ａを介して変速出力軸３６に伝達される。この間に、無段変速装置３４により肥料繰出ケース１３より繰り出される肥料の繰出量を調整し、さらに、安全クラッチ装置３７が伝動軸３７ｂに作用するようにしている。
なお、無段変速装置３４を変速操作して肥料の繰出量を調整する調量ダイヤル２９は、運転席７の後方であって車体カバー２０に形成された孔２０ａから上方に突出した状態に設けられており、作業者が運転席７近傍にいる状態で操作できるように構成されている。
【００２５】
そして、変速出力軸３６は、回転軸４０を介して施肥フレーム１０６の左右略中央に配設した支持プレート１０６ｄに固定した駆動ケース４６より突設した繰出入力軸４１に連結連動されると共に、該繰出入力軸４１には、一対のベベルギア４２を介して、機体左右方向に延設された繰出駆動軸４５が連結連動されている。
なお、繰出駆動軸４５は複数の軸４５ａ・４５ｂ・４５ｃ・・・から成り、これらは連結具６９により連結されると共に、隣接する各施肥ユニット４８・４８・・・間には、軸間にクラッチ装置７０が介設されており、側条施肥機３０の前方に位置するユニットクラッチレバー８１・８１によって、左右二条分の施肥ユニット４８・４８を選択的に駆動可能な構成とし、同じく側条施肥機の前部に位置する条止め操作ロッド７１・７１・・・で各施肥ユニット４８・４８・・・を選択的に駆動可能な構成としている。
【００２６】
このような構成において、前記繰出駆動軸４５より伝達されてきた動力が、一対のベベルギア６８・６６ａを介して、前記繰出軸６６を駆動すると、肥料ホッパ４９内の肥料は所定の繰出量だけジョイント部５６ｂ中間に落下し、落下した肥料は、そのまま搬送ホース３２を介して側条作溝器３３位置まで空気搬送される。
【００２７】
ここで、前記施肥ユニット４８・４８・・について説明する。但し、施肥ユニット４８・４８・・は略等しい構成であるので、そのうち一組の施肥ユニット４８を用いてその構造を詳細に説明する。
図６及び図９に示す如く、施肥ユニット４８に具備される肥料繰出ケース１３は肥料繰出上ケース４７及び該肥料繰出上ケース４７の下方に接続された肥料繰出下ケース５６とで構成されている。前記肥料繰出上ケース４７の上面前側の入口４７ａには、肥料ホッパ４９の下部出口４９ａを嵌着させる一方、肥料繰出上ケース４７の下面には、前傾状（上端側が前、下端側が後方向に傾斜）の肥料繰出下ケース５６を着脱自在に固定させている。該肥料繰出下ケース５６は、硬質合成樹脂製で漏斗型（逆円錐型）に形成されると共に、肥料繰出下ケース５６下部には、ジョイント部５６ｂが一体成形されており、肥料繰出下ケース５６とジョイント部５６ｂは小さな口面積の出口５６ａを介して連通されている。
【００２８】
そして、該ジョイント部５６ｂ前端部は、前記送風パイプ５１に前端部を嵌着させる接合パイプ５９後端部に連結接続されると共に、ジョイント部５６ｂ後端部には、前記搬送ホース３２が嵌着されており、前記送風機５０からの空気を送風パイプ５１からジョイント部５６ｂ及び搬送ホース３２に吹き出させ、肥料繰出下ケース５６の出口５６ａからジョイント部５６ｂ中間に落下する肥料を、搬送ホース３２を介して側条作溝器３３位置まで空気搬送するように構成している。
【００２９】
前記肥料繰出装置として、取入口６１ａを有する入口盤６１と、前記取入口６１ａと同じ回転半径位置に複数の繰出口６３ａ・６３ａ・・・を有する目皿盤６３と、排出口（切欠部）６５ａを有する出口盤６５とを備え、略円形平板状の前記各盤６１・６３・６５を肥料繰出上ケース４７と肥料繰出下ケース５６との間に前傾且つ多層状に配設させている。
【００３０】
そして、肥料繰出上ケース４７の内部に繰出軸６６を前傾姿勢で回転自在に軸支させ、各盤６１・６３・６５の中央部に繰出軸６６下端側を貫通させ、入口盤６１と出口盤６５を肥料繰出上ケース４７に係止させ、各盤６１・６５に対して繰出軸６６を遊転させると共に、目皿盤６３を繰出軸６６に係合軸支させ、繰出軸６６によって目皿盤６３を強制的に回転させて、取入口６１ａから繰出口６３ａに入った肥料を排出口６５ａに移動させて肥料繰出下ケース５６の出口５６ａ方向に落下させるように構成している。
【００３１】
図１０にも示す如く、前記入口盤６１は、略円盤状の天板部６１ｄと、この天板部６１ｄの下面の周縁に沿って一体的に連接したスペーサとしての環状部６１ｂとにより構成されており、目皿盤６３は、入口盤６１の天板部６１ｄと、スペーサとしての環状部６１ｂと、出口盤６５とで囲まれた空間内に回転可能に配置されている。そして、入口盤６１と出口盤６５とで形成された空間の厚みはちょうど目皿盤６３の厚みと等しくなるよう成形されており、入口盤６１の天板部６１ｄ、目皿盤６３及び出口盤６５は隙間無く層状に配設されている。
【００３２】
そして、入口盤６１、目皿盤６３及び出口盤６５を組んだ状態で、結合部材６４でこれらを結合し、目皿ユニットとして一体的に取り扱うことのできるようにしている。本実施例では、結合部材６４として板バネを採用し、入口盤６１及び出口盤６５に夫々形成した係合部６１ｃ・６５ｂに略コ字状に形成された結合部材６４を係合させ、入口盤６１と出口盤６５を該結合部材６４で挟み込んでこれらを連結している。
但し、結合部材６４は前記板バネに限定されるものではなく、結合部材６４は入口盤６１と出口盤６５を結合することができるものであればよく、また、結合部材６４を複数設けることもできる。
【００３３】
上述の如く入口盤６１、目皿盤６３及び出口盤６５を組んで目皿ユニットとした状態で扱えることによって、層状に配設された入口盤６１、目皿盤６３及び出口盤６５の間隙が拡がることがないので、肥料が噛み込むことを防止して、安定した施肥量を保持し、安定した施肥作業を行うことができる。さらに、目皿ユニットとした状態で肥料繰出ケース１３に組み付けることができるので、一枚ずつ入口盤６１、目皿盤６３及び出口盤６５を下方から上方へ押しつけながら組み付けるときと比べて作業が簡易となり、従って、良好な組み付け状態を容易に実現できる。
【００３４】
また、肥料繰出上ケース４７前部には残留肥料取出口４７ｅを開設しており、ここから施肥作業終了後に肥料ホッパ４９及び肥料繰出上ケース４７内の残留肥料を外部に確実に排出除去するようにしている。図６に示す如く、残留肥料取出口４７ｅにはシャッター８２が備えられており、シャッター操作レバー８４を操作することによってシャッター８２を開閉できるように構成している。このようにして、シャッター８２を開閉することで残留肥料取出口４７ｅの開閉を行うようにしている。
【００３５】
前記残留肥料取出口４７ｅには、合成樹脂素材（例えば、硬質ゴム等）で構成されたエルボ管８５が連結され、該エルボ管８５には、フレキシブル型排出用ホース８６が連結されており、残留肥料排出作業時には、排出用ホース８６を機体側方に延ばした状態にして排出する。
図４、図５、図１１及び図１２に示す如く、前記排出用ホース８６は、ホース先端（肥料出口）近くを施肥フレーム１０６の両端に位置する施肥サイドフレーム１０１Ｌ・１０１Ｒに設けたホースクランプ５８・５８で保持して収納する。排出用ホース８６のホース先端は開閉自在なキャップ８６ａによって閉塞されており、雨等が排出用ホース８６内部に入り込むことのないようにしている。
【００３６】
排出用ホース８６が収納された状態において、本実施例では、各施肥ユニット４８・４８・・に一本ずつ合計四本の排出用ホース８６・８６・・が備えられており、そのうち、右二組の施肥ユニット４８・４８の排出用ホース８６・８６は右側の施肥サイドフレーム１０１Ｒに設けたホースクランプ５８に、左二組の施肥ユニット４８・４８の排出用ホース８６・８６は左側の施肥サイドフレーム１０１Ｌに設けたホースクランプ５８に、そのホース先端部が保持されている。このとき、排出用ホース８６・８６・・は、肥料ホッパ４９・４９・・の下方であって、左右の施肥サイドフレーム１０１Ｌ・１０１Ｒの間に配置されている。
【００３７】
上述の如く収納された排出用ホース８６・８６・・は、そのホース先端が車輪２・２・３・３やステップ２０から離れた位置、すなわち、植付作業時に汚れにくい位置にあり、また、肥料排出時作業時には、排出用ホース８６・８６・・が機体側方へ引き出し易い位置にある。従って、排出用ホース８６・８６・・を手を汚すことなく簡単に機体側方へ引き出すことができる。さらに、排出用ホース８６・８６・・は機体幅より左右側方へはみ出ることなく左右の施肥サイドフレーム１０１Ｌ・１０１Ｒによって保護されると共に、排出用ホース８６・８６・・が安定した状態で収納位置に保持される。
【００３８】
次に、肥料ホッパ４９とホッパ蓋１２９について説明する。
図２及び図４に示す如く、側条施肥機３０は四条植え式の植付部９に対応するよう四条分四組の施肥ユニット４８・４８・・が設けられ、これら四組の施肥ユニット４８・４８・・に具備される四体の肥料ホッパ４９・４９・・は左右二体ずつに一つのホッパ蓋１２９・１２９が設けられている。
本実施例に係る肥料ホッパ４９・４９・・の左右二条の構造は略等しく、以下にそのうち右側二条分の肥料ホッパ４９・４９の構造について説明する。
【００３９】
図１１及び図１３に示す如く、一条一体に独立して成形した二条分二体の肥料ホッパ４９・４９を左右方向に連設させて二組隣接して配置し、二体のホッパ４９・４９は内部において前後方向（ホッパ蓋の回動中心方向に対して直角方向）に配置した仕切面４９ｂ・４９ｂで仕切られて、該仕切面４９ｂ・４９ｂは上方を開放する側面視Ｕ字状となるよう切り欠かれ、側面開口部１２０が形成されている。
左右方向に連設させた二体の肥料ホッパ４９・４９は、夫々の仕切面４９ｂ・４９ｂに形成された連結部４９Ｌ・４９Ｒ同士を連結し、側面開口部１２０によって二体の肥料ホッパ４９・４９の内部が連通した状態としている。
【００４０】
図１４に示す如く、左右方向に連設させた二体の肥料ホッパ４９・４９のうち右側の肥料ホッパ４９は、その左面を仕切面４９ｂとして、側面開口部１２０を縁取る連結部４９Ｒが肥料ホッパ４９本体と一体的に形成されている。側面開口部１２０の縁には左側方への凸体４９Ｒａ、該凸体４９Ｒａの外側に凹部４９Ｒｃ、該凹部４９Ｒｃの外側にボルト孔が形成された螺結体４９Ｒｃが形成されている。
一方、図１５に示す如く、左右方向に連設させた二体の肥料ホッパ４９・４９のうち左側の肥料ホッパ４９は、その右面を仕切面４９ｂとし、側面開口部１２０を縁取る連結部４９Ｌが肥料ホッパ４９本体と一体的に形成されている。側面開口部１２０の縁及び上部開口縁には右側方への凸体４９Ｌａ、該凸体４９Ｌａの外側にボルト孔が形成された螺結体４９Ｌｂが形成されている。
【００４１】
図１６に示す如く、左側の肥料ホッパ４９の螺結体４９Ｌｂと、右側の肥料ホッパ４９の螺結体４９Ｒｂとを合わせて、夫々に形成されたボルト孔にボルト１２８・１２８・・・を貫通して左右の肥料ホッパ４９・４９を螺結すると、側面開口部１２０は右側の肥料ホッパ４９の連結部４９Ｒの凸体４９Ｒａに縁取られ、右側の肥料ホッパ４９Ｒの凸体４９Ｒａと螺結体４９Ｒｂの間に形成された凹部４９Ｒｃに左側の肥料ホッパ４９Ｌの凸体４９Ｌａが嵌合している。
【００４２】
すなわち、左側の肥料ホッパ４９の連結部４９Ｌと右側の肥料ホッパ４９の連結部４９Ｒとがインロウ構造となっており、これら連結部４９Ｌ・４９Ｒが嵌合しているため、合わせ位置がずれないので、肥料ホッパ４９・４９・・を更に多連としても精度良くこれらの肥料ホッパ４９・４９・・を一体的に組み付けることができる。
また、左側の肥料ホッパ４９の連結部４９Ｌと右側の肥料ホッパ４９の連結部４９Ｒとが平面であると、連結部４９Ｌ・４９Ｒの間の隙間を完全に無くすことは難しく、防水性を高めるためには連結部４９Ｌ・４９Ｒを多くのボルト１２８・１２８・・・で締結しなければならないが、これに対し、連結部４９Ｌ・４９Ｒがインロウ構造であり、連結部４９Ｌ・４９Ｒの間に間隙が生じにくく高い防水性が期待されるため、締結のためのボルト１２８・１２８・・・の本数を削減することができる。
【００４３】
上述の如く二条分の各肥料ホッパ４９・４９を連結して、側面開口部１２０の下端高さを肥料ホッパ４９・４９の上部開口縁よりも低く形成している。但し、側面開口部１２０の下端高さは各肥料ホッパ４９・４９に内装される漉網板１２６・１２６よりも上方とする。
そして、二条分の各肥料ホッパ４９・４９内部を側面開口部１２０を介して連通させて、肥料ホッパ４９・４９間で肥料を移動させて均すことができるようにしている。
【００４４】
なお、左右の肥料ホッパ４９・４９は夫々形状が異なるが、肥料ホッパ４９を成形する際に、型の左右面部分の一部を入れ子型にして、（１）肥料ホッパ４９右面の連結部４９Ｌを形成する、（２）肥料ホッパ４９左面の連結部４９Ｒを形成する、（３）連結部を形成しない、前記（１）〜（３）を成形する肥料ホッパ４９の左右夫々の面で選択を可能とし、基本的に一つの型で、（１）左面に連結部４９Ｒを形成した肥料ホッパ４９、（２）右面に連結部４９Ｌを形成した肥料ホッパ４９、（３）左右両側に連結部４９Ｌ・４９Ｒを形成した肥料ホッパ４９、の三種の異なる形状の肥料ホッパ４９を成形できるようにしている。
このように、肥料ホッパ４９の形状が異なっても、型に係る費用を安価に済ませることができ、また、本実施例で示すように二連だけでなく三連、四連・・・と肥料ホッパ４９・４９・・・を連結したものを比較的安価に製造することができる。
【００４５】
また、肥料を入れる二条分の各肥料ホッパ４９・４９の上方開口部に単一のホッパ蓋１２９を開閉自在に設け、ホッパ蓋１２９及び肥料ホッパ４９・４９内部を外側から透視可能な透明合成樹脂によって形成している。
前記ホッパ蓋１２９は、肥料ホッパ４９・４９の後面上部にホッパ蓋１２９の後部を回動自在に支持されて、前方から持ち上げて開放するように構成している。
ホッパ蓋１２９と肥料ホッパ４９・４９は、耐食性のある合成樹脂素材で一体的に形成されたヒンジ１３３・１３３によって、該ヒンジ１３３・１３３のくびれ部を回動中心として肥料ホッパ４９・４９に対してホッパ蓋１２９が回動可能となるように設けられている。
なお、本実施例で採用されているヒンジ１３３・１３３は、ホッパ蓋１２９の後部二箇所と左右の肥料ホッパ４９・４９に架設されており、その上部をホッパ蓋１２９に固定し、くびれを介して下部を肥料ホッパ４９・４９に固定している。
【００４６】
また、肥料ホッパ４９の前面側にプラスチック製突起１３５を固定し、又は、肥料ホッパ４９と一体的に形成し、該突起１３５に着脱自在に係止させるプラスチック製フック１３６をホッパ蓋１２９に固設し、突起１３５とフック１３６の係合によってホッパ蓋１２９を閉塞位置に固定するようにしている。前記フック１３６は、図１３に示す如く、突起１３５との係合面にテーパが形成されている。
【００４７】
なお、前記ヒンジ１３３は、ホッパ蓋１２９が後方へ移動する方向に付勢されるよう癖を付けて成形されている。従って、ホッパ蓋１２９が後方へ移動するよう付勢されることで、すなわち、前記フック１３６の突起１３５との係合面に設けられたテーパと突起１３５との間隙を埋める方向に付勢力が働いていることになり、ホッパ蓋１２９が閉じた状態にあるときに、フック１３６が突起１３５に食い込む方向に付勢されてホッパ蓋１２９の閉まり精度が良好となり、ホッパ蓋１２９と肥料ホッパ４９の隙間が削減されて、ホッパ蓋１２９がたついたり、洗車時に肥料ホッパ４９内に水が入ったり、風圧等で自然にホッパ蓋１２９が開いたりすることを防止している。
【００４８】
そして、ホッパ蓋１２９の回動中心側であって該ホッパ蓋１２９の下面には、左右略全幅に遮蔽部材１３８を設けている。遮蔽部材１３８はホッパ蓋１２９裏面から垂設された合成樹脂素材製の側断面略コ字状の弾性体であって、ホッパ蓋１２９が肥料ホッパ４９・４９を閉塞した状態で該遮蔽部材１３８は肥料ホッパ４９内にある。
そして、遮蔽部材１３８はホッパ蓋１２９が開放した状態で、肥料ホッパ４９の後面上端部に引っ掛かってホッパ蓋１２９のそれ以上後方への回動を規制し、さらに、肥料ホッパ４９・４９の一側に起立させるホッパ蓋１２９によって他側から投入する肥料が反対側に飛散するのを防ぎ、また、ホッパ蓋１２９に衝突した肥料がホッパ蓋１２９と肥料ホッパ４９・４９間の隙間から下方に落下するのを防ぐと共に、遮蔽部材１３８上面に留った肥料を、ホッパ蓋１２９が閉まるときに肥料ホッパ４９・４９内部に落下させるように構成している。
【００４９】
ここで、図１１及び図１７を用いて、本発明に係る送風機５０について詳細に説明する。
本実施例において送風機５０は側条施肥機３０の左側部に設けられており施肥サイドフレーム１０１Ｌ、すなわち、施肥フレーム１０６に支持されている。但し、送風機５０は側条施肥機３０の右側部に設けることもでき、また、後述するが、本実施例の送風機５０は側条施肥機３０の前部側に回動可能としているが、送風機５０を側条施肥機３０の後部側に回動可能に構成することもできる。
【００５０】
前記送風機５０と送風パイプ５１は施肥サイドフレーム１０１Ｌを介して本機側に取り付けられており、送風機５０と送風パイプ５１は内部で連通している。そして、施肥フレーム１０６に相対位置固定された送風パイプ５１に対し、送風機５０は送風パイプ５１の一端が固定された施肥サイドフレーム１０１Ｌに対して回動可能に構成して、施肥フレーム１０６外側端の送風機５０を側方に拡開して側条施肥を可能とすると共に、送風機５０を機体前方内側に回動した状態で施肥サイドフレーム１０１Ｌより着脱可能に構成している。
【００５１】
送風パイプ５１の一側端部と、送風機５０の吹出口５０ａを囲繞したフランジ５４を夫々施肥サイドフレーム１０１Ｌに支持させ、該施肥サイドフレーム１０１Ｌに左右方向に穿設された挿通孔によって送風機５０と送風パイプ５１内部が連通した状態としている。
【００５２】
前記送風機５０の図示せぬファンを内装するファンケース５０ｂの後面に板金製側面視略コ字状の送風機取付ステー５２を固定し、該送風機取付ステー５２の後面であって機体内側に前記吹出口５０ａを囲繞するフランジ５４の前部５４ａを固定している。そして、前記ファンケース５０ｂの前部にモータ部５０ｃを設け、下部に位置するフィルタを介してファンケース５０ｂ内に外部の空気を取り込むための吸入筒５０ｄを同じくファンケース５０ｂの後部に配設している。
【００５３】
そして、前記送風機取付ステー５２には回動支点となる枢軸５５ａ・５５ｂを挿入するための回動支点孔５２ａ・５２ａが上下に一つずつ設けられている。一方、施肥サイドフレーム１０１Ｌ機体外側前部に正面視コ字状の枢軸支持体５３を設け、コ字の上辺と下辺の夫々に枢軸５５ａ・５５ｂが略同一直線上に位置するよう配設されている。そして、枢軸５５ａ・５５ｂに送風機取付ステー５２に穿設された回動支点孔５２ａ・５２ａを係合させることによって、枢軸支持体５３で送風機取付ステー５２を枢支し、送風機５０を枢軸５５ａ・５５ｂを中心として回動可能に施肥フレーム１０６側に取り付けている。
【００５４】
なお、前記フランジ５４の後部には、施肥サイドフレーム１０１Ｌの機体内側部に設けられたフック型の固定具６７（ワンタッチ係止具）の係止部６７ａを係止させるためのヒッチ５４ｂが一体的に形成されており、施肥サイドフレーム１０１Ｌとフランジ５４とを簡易に固定又は固定解除できるようにしている。また、後述するように施肥フレーム１０６から送風機５０を取り外したときに、フック型の固定具６７であるため、螺子等で固定するときのように固定具６７の紛失する虞れがなく都合がよい。
【００５５】
本実施例において、前記枢軸５５ａ・５５ｂとしてピン状部材を採用し、該ピン状部材が枢軸支持体５３のコ字の上辺及び下辺の夫々の下方から貫通して上方に突出した状態に固定されている。
なお、上下に二本設けられた枢軸５５ａ・５５ｂは、本実施例ではそのうち上方の枢軸５５ａを、下方の枢軸５５ｂに比べて短くして、上下の枢軸５５ａ・５５ｂを異なる長さとし、夫々の枢軸５５ａ・５５ｂで送風機取付ステー５２からの出代を異なるようにしている。但し、上方の枢軸５５ａを、下方の枢軸５５ｂに比べて長くしても構わない。これは、送風機５０の施肥フレーム１０６側からの着脱の際の便を図るためである。
【００５６】
例えば、送風機５０を施肥フレーム１０６側に装備するときには、まず、長い方の枢軸である下方の枢軸５５ｂに送風機取付ステー５２の下方の回動支点孔５２ａを係合させ、次に、短い方の枢軸である上方の枢軸５５ａに送風機取付ステー５２の上方の回動支点孔５２ａを係合させる。
上下の枢軸が略同一の長さであれば、送風機５０を支持しながら上下両方の枢軸と回動支点孔を同時に係合させなければならず、送風機の体勢が少しでも傾くことがあると枢軸と回動支点孔の位置がずれて取り付けられないが、上下の枢軸５５ａ・５５ｂの長さが異なれば、片方の回動支点孔５２ａと枢軸５５ｂ（５５ａ）を係合させて体勢を整えた上で、他方の回動支点孔５２ａと枢軸５５ａ（５５ｂ）を係合させることができるので、取付作業が簡易となる。
【００５７】
前記枢軸支持体５３の上部には、送風機取付ステー５２の上方への移動（抜け）を規制するための規制部材５７が固定されている。規制部材５７は、水平部と垂直部を持つＬ字状であって、垂直部を枢軸支持体５３の上部に固定し、水平部を上方の枢軸５５ａの上端より下方且つ枢軸支持体５３の上面に送風機取付ステー５２の厚みを加えた高さより上方に配設されている。但し、本実施例の規制部材は棒材を折り曲げて構成しているが、プレート等で構成してもよく限定するものではなく、また、規制部材は本機側に設けているが、送風機側に設けることも可能である。
さらに、平面視において、送風機５０が送風パイプ５１と連通した状態にあるときは、規制部材５７の水平部と送風機取付ステー５２が重複した状態に、また、図１８に示す如く、送風機５０を枢軸５５ａ・５５ｂを中心として機体内側へ回動させたときに、設定角度まで回動すると規制部材５７の水平部と送風機取付ステー５２とが重複しない状態となるようにしている。すなわち、平面視において、送風機５０をある一定角度まで機体内側へ回動させると、規制部材５７による送風機取付ステー５２の上方への規制が解除されることになる。
【００５８】
規制部材５７による送風機５０の上方への移動の規制が解除された状態では、送風機５０を略垂直方向に持ち上げるだけで、送風機５０を施肥フレーム１０６側から取り外すことができる。送風機５０に接続された電源や制御用のハーネスにはカプラ５０ｅが取り付けられていて、ハーネスも接続・切断可能に構成されており、送風機５０を施肥フレーム１０６側から取り外す際にはカプラ５０ｅを走行機体側のカプラ（図示せず）から外してハーネスを切断すると、送風機５０は側条施肥機３０本体から完全に切り離すことができる。
従って、施肥機３０の不使用時や保管時には、送風機５０を施肥フレーム１０６側から取り外すことによって、送風機５０を機体内側へ回動させて収納するときと比べて、収納に必要な空間を削減することができる。
なお、施肥フレーム１０６側より取り外した送風機５０は施肥前部フレーム１０６ａに設けたフック１９（図４）に引っ掛けた状態に保管することができる。
【００５９】
また、送風機５０が送風パイプ５１と連通した状態にあるときは、規制部材５７が送風機取付ステー５２の上方に位置し、如何なる場合も送風機取付ステー５２が枢軸５５ａ・５５ｂより抜けることの無いようにしている。従って、悪路を走行時に激しい振動によって固定具６７によるフランジ５４と施肥サイドフレーム１０１Ｌとの係合が弛んだとしても、送風機取付ステー５２が枢軸より抜けることがないので、送風機５０が施肥フレーム１０６側から外れることがない。
【００６０】
【発明の効果】
本発明は、以上のように構成したので、以下に示すような効果を奏する。
【００６１】
即ち、請求項１に示す如く、送風機５０を走行車両１の施肥フレーム１０６側に設けた送風パイプ５１に対して連通・分離可能とした構成において、該送風機５０を略水平方向若しくは水平方向に回動させるための枢軸５５ａ・５５ｂを施肥フレーム１０６側から立設し、該枢軸５５ａ・５５ｂに送風機５０側に設けた送風機取付ステー５２を係合し、該送風機取付ステー５２の上方に抜け止め用規制部材５７を設け、平面視において、送風機５０が送風パイプ５１と連通した状態にあるときは、該抜け止め用規制部材５７と送風機取付ステー５２が重複し、送風機５０を枢軸５５ａ・５５ｂを中心に機体内側へ回動させ、設定角度まで回動することにより、両者が重複しない状態となり、送風機５０を略垂直方向に持ち上げ、送風機５０を施肥フレーム１０６側から取外し可能としたので、規制部材によって送風機に固設したステーの上方への移動が規制され、ステーが枢軸から外れることがなく、簡単な構成部材を付加するだけで確実に固定できるようになった。
また、前記規制部材を、送風機と送風パイプを連通させた状態で送風機側に固設のステーと平面視で重複し、且つ、送風機を設定角度以上回動させた状態で送風機側に固設のステーと平面視で重複しない位置となるように設けたので、規制部材を動かすことなく送風機を施肥フレーム側から取り外すことができるのである。
また、送風機を施肥フレーム側から取り外すことで送風機を回動させる場合と比べて送風機の必要な空間を削減できる。
【００６２】
また、施肥フレーム１０６側より取り外した送風機５０は施肥前部フレーム１０６ａに設けたフック１９に引っ掛けた状態に保管することができるので、送風機の必要な空間を削減できるのである。
【００６３】
請求項３に示す如く、請求項１に記載の送風機の着脱構造機において、一対の枢軸を上方を開放して略同一直線上に配設し、該枢軸のステーからの出代を異なる長さとしたので、送風機を施肥フレーム側に取り付けるときに、先に長い方の軸を送風機に固設のステーと係合し、次に、短い方の軸を送風機に固設のステーに係合すると、軸とステーを同時に複数の箇所で係合させずともよいので作業が簡易となるのである。
【図面の簡単な説明】
【図１】  本発明の実施例に係る側条施肥機を搭載した乗用田植機の全体的な構成を示した側面図。
【図２】  同じく平面図。
【図３】  車体フレームとミッションケースの概略斜視図。
【図４】  側条施肥機の正面図。
【図５】  同じく平面略図。
【図６】  施肥ユニットの左側面図。
【図７】  側条施肥機の伝動機構を説明する側面図。
【図８】  同じく正面図。
【図９】  肥料繰出ケースの左側断面図。
【図１０】  肥料繰出装置を示す断面図。
【図１１】  側条施肥機の左側正面図。
【図１２】  同じく左側面図。
【図１３】  肥料ホッパを示す左側断面図。
【図１４】  右側の肥料ホッパの連結部を示す左側面図。
【図１５】  右側の肥料ホッパの連結部を示す右側面図。
【図１６】  肥料ホッパの連結部を示す正面一部断面図。
【図１７】  送風パイプと連通した状態の送風機を示す平面図。
【図１８】  送風パイプと分離した状態の送風機を示す平面図。
【符号の説明】
１３  肥料繰出ケース
３０  側条施肥機
４８  施肥ユニット
４９  肥料ホッパ
５０  送風機
５１  送風パイプ
５２  送風機取付ステー
５５ａ・５５ｂ  枢軸
５７  規制部材５７
【図１】
0003743955.tif 000002
【図２】
0003743955.tif 000003
【図３】
0003743955.tif 000004
【図４】
0003743955.tif 000005
【図５】
0003743955.tif 000006
【図６】
0003743955.tif 000007
【図７】
0003743955.tif 000008
【図８】
0003743955.tif 000009
【図９】
0003743955.tif 000010
【図１０】
0003743955.tif 000011
【図１１】
0003743955.tif 000012
【図１２】
0003743955.tif 000013
【図１３】
0003743955.tif 000014
【図１４】
0003743955.tif 000015
【図１５】
0003743955.tif 000016
【図１６】
0003743955.tif 000017
【図１７】
0003743955.tif 000018
【図１８】
0003743955.tif 000019